(57)【要約】  全般に、ページング関連の遅延の低減は、アイドル状態の移動体（ＭＳ）（１２０）に、ＭＳに知らされたトリガ（３０４）に基づいて、半休止状態、スロット無しモード、及び／又は、ＲＳＣＩモードへの移行を始めさせることでなされる。このやり方は、半休止モードやＲＳＣＩモードを用いるには（３０６）効率的なやり方である（ＲＦ及びバッテリの消耗を考慮するという観点では）。ＭＳ（１２０）がページングチャネル（ＰＣＨ）メッセージを予期できる場合（例えば、ＳＭＳ又は存在更新情報を送信又は受信した後）、ＭＳはＭＳのスロットサイクルインデックスを短時間に亘り低減できるインテリジェントな状態であり、バッテリ寿命の消耗が小さく、このときＲＳＣＩは改善されたサービスを提供する可能性が最も高い。なおまた、ＭＳの移動度が低い（即ちアイドルハンドオフ率が低い）場合、ＭＳは多くの無線環境報告を送信しなくてよいので、ＭＳの半休止モードへの移行の際の消耗がかなり抑えられる。
2007527641.tif 000002
【特許請求の範囲】
【請求項１】
ページング関連の遅延を低減させる方法であって、
移動局（ＭＳ）に、低移動度状況とアクティブユーザメッセージ通信状況とから成るグループの少なくとも１つの状況に前記ＭＳがあることを判断させる工程と、
前記ＭＳが前記少なくとも１つの状況にあることにより前記ＭＳがトリガされた際に、前記ＭＳについてのページング関連の遅延が低減される少なくとも１つの動作モードへと前記ＭＳを移行させる工程と、
を含む方法。
【請求項２】
所定の数のパイロットにより指定されたゾーンの外でのアイドルハンドオフを前記ＭＳが所定の期間に亘り行わなかったときには、前記ＭＳが前記低移動度状況にある請求項１に記載の方法。
【請求項３】
前記ＭＳのアイドルハンドオフ率がアイドルハンドオフ率のしきい値以下のときには、前記ＭＳが前記低移動度状況にある請求項１に記載の方法。
【請求項４】
前記アイドルハンドオフ率のしきい値を前記ＭＳに無線アクセスネットワーク（ＲＡＮ）から受信させる工程を更に含む請求項３に記載の方法。
【請求項５】
前記ＭＳがユーザメッセージ通信の送信又は受信に最近関与していたときには、前記ＭＳが前記アクティブユーザメッセージ通信状況にある請求項１に記載の方法。
【請求項６】
関連付けられた通信装置のグループに前記ＭＳが新たに応じられるようになったときには前記ＭＳが前記アクティブユーザメッセージ通信状況にあり、関連付けられた通信装置の前記グループの各々がメッセージ通信仲間として前記ＭＳに関係付けられる、請求項１に記載の方法。
【請求項７】
前記ＭＳに関連付けられたメッセージ通信についての最近の開封通知を前記ＭＳが受信した後は前記ＭＳが前記アクティブユーザメッセージ通信状況にあり、前記開封通知が、別のユーザが前記ＭＳに関連付けられた前記メッセージ通信にアクセスしたことを知らせる、請求項１に記載の方法。
【請求項８】
請求項１に記載の方法であって、
前記ＭＳのバッテリの残り寿命が省電力しきい値を下回ったとき、前記ＭＳについてのページング関連の遅延が低減される前記少なくとも１つの動作モードを終了する工程を更に含む方法。
【請求項９】
前記少なくとも１つの動作モードには、半休止モードとスロット無しモードと低減スロットサイクルインデックス（ＲＳＣＩ）モードとから成るグループのＭＳモードがあり、前記ＭＳが前記半休止モードで位置情報の周期的な更新を実行する請求項１に記載の方法。
【請求項１０】
移行させる工程が、前記ＭＳが前記低移動度状況にあるときのみ前記ＭＳを半休止モードに移行させる工程を含み、前記ＭＳが前記半休止モードで位置情報の周期的な更新を実行する、請求項１に記載の方法。
【請求項１１】
移行させる工程が、前記ＭＳが前記低移動度状況と前記アクティブユーザメッセージ通信状況の両方の状況にあるときのみ前記ＭＳを半休止モードに移行させる工程を含み、前記ＭＳが前記半休止モードで位置情報の周期的な更新を実行する請求項１に記載の方法。
【請求項１２】
移行させる工程が、前記ＭＳが前記アクティブユーザメッセージ通信状況にあるときに前記ＭＳを低減スロットサイクルインデックス（ＲＳＣＩ）モードに移行させる工程のみを含む請求項１に記載の方法。
【請求項１３】
請求項１に記載の方法であって、移行させる工程が、
動作モードの変化の承認を無線アクセスネットワーク（ＲＡＮ）に要求する工程と、
前記動作モードの変化を前記ＲＡＮが承認したという知らせを受信する工程とを含む方法。
【請求項１４】
移行させる工程が、前記ＭＳが前記少なくとも１つの状況にあることと前記ＭＳのサービス提供セルの未使用の容量が十分だと示されたこととにより前記ＭＳがトリガされた際に、前記ＭＳを移行させる工程のみを含む請求項１に記載の方法。
【請求項１５】
前記ＭＳに、無線アクセスネットワーク（ＲＡＮ）から、前記サービス提供セルの未使用の容量についての知らせを同報通信で受信させる工程を更に含む請求項１４に記載の方法。
【請求項１６】
移行させる工程が、前記ＭＳが前記少なくとも１つの状況にあり且つ前記ＭＳのバッテリの残り寿命が十分であるときに前記ＭＳがトリガされた際に、前記ＭＳを移行させる工程のみを含む請求項１に記載の方法。
【請求項１７】
移動局（ＭＳ）であって、
送信器と、
受信器と、
前記送信器と前記受信器とに結合されたプロセッサと、を含み、
前記プロセッサが、低移動度状況とアクティブユーザメッセージ通信状況とから成るグループの少なくとも１つの状況に前記ＭＳがあることを判断するよう改造されており、
前記プロセッサが、前記ＭＳが前記少なくとも１つの状況にあることにより前記ＭＳがトリガされた際に、前記ＭＳについてのページング関連の遅延が低減される少なくとも１つの動作モードへと前記ＭＳを移行させるよう改造された、ＭＳ。
【請求項１８】
前記少なくとも１つの動作モードには、半休止モードとスロット無しモードと低減スロットサイクルインデックス（ＲＳＣＩ）モードとから成るグループのＭＳモードがあり、前記ＭＳが前記半休止モードで位置情報の周期的な更新を実行する、請求項１７に記載のＭＳ。
【請求項１９】
前記ＭＳのアイドルハンドオフ率がアイドルハンドオフ率のしきい値以下のときには、前記ＭＳが前記低移動度状況にある請求項１７に記載のＭＳ。
【請求項２０】
前記ＭＳがユーザメッセージ通信の送信又は受信に最近関与していたときには、前記ＭＳが前記アクティブユーザメッセージ通信状況にある請求項１７に記載のＭＳ。
【請求項２１】
関連付けられた通信装置のグループに前記ＭＳが新たに応じられるようになったときには前記ＭＳが前記アクティブユーザメッセージ通信状況にあり、関連付けられた通信装置の前記グループの各々がメッセージ通信仲間として前記ＭＳに関係付けられた、請求項１７に記載のＭＳ。
【請求項２２】
前記ＭＳに関連付けられたメッセージ通信についての最近の開封通知を前記ＭＳが前記受信器を介して受信した後は前記ＭＳが前記アクティブユーザメッセージ通信状況にあり、前記開封通知が、別のユーザが前記ＭＳに関連付けられた前記メッセージ通信にアクセス
したことを知らせる、請求項１７に記載のＭＳ。
【請求項２３】
前記ＭＳのバッテリの残り寿命が省電力しきい値を下回ったときに、前記プロセッサが更に、前記ＭＳについてのページング関連の遅延が低減される前記少なくとも１つの動作モードを終了するように改造された、請求項１７に記載のＭＳ。
【請求項２４】
請求項１７に記載のＭＳであって、移行させる工程が、
前記送信器を介して、動作モードの変化の承認を無線アクセスネットワーク（ＲＡＮ）に要求する工程と、
前記受信器を介して、前記動作モードの変化を前記ＲＡＮが承認したという知らせを受信する工程とを含む、ＭＳ。
【発明の詳細な説明】
【技術分野】
【０００１】
本発明は一般に無線通信システムに関し、中でも特に、そのシステム中のページング関連の遅延の低減に関する。
【背景技術】
【０００２】
無線通信システムでは、移動ユニット又は装置がバッテリで動作する。電力を温存すべく、これらの移動ユニットは、使用されずにある短い期間が経過すると無線チャネルにおいて非アクティブ／アイドル／休止となる。この期間はデータサービスでは通例３０秒〜６０秒である。従って、無線のデータサービスを用いたプッシュトゥトーク（ｐｕｓｈ−ｔｏ―ｔａｌｋ）の通話では、プッシュトゥトーク通信を可能にするに先立ち、発信移動ユニット及び着信移動ユニットの両方が、呼設定の一部としてのアクティブな状態（実際に無線リソースを用いている状態）へと移行しなくてはならない。いったん移動ユニットがアクティブな状態になると、無線チャネルが確立されて移動ユニットがデータを転送及び／又は受信できる。当該分野で既知のように、プッシュトゥトークの通話への応用例には、音声及び関連の信号データの送信があるが、パケットデータネットワークの進歩によって、プッシュトゥトークの通話への応用例が拡大され、画像、ストリーミングビデオ、テキストメッセージ通信、保存されたオーディオファイル、他のマルチメディアも含む。
【０００３】
典型的なプッシュトゥトークの通話への応用例については、現在の実装では発信移動ユニットを休止／アイドル状態からアクティブな状態へと移行させる為に必要な時間が３秒を上回る。着信移動ユニットを休止状態からアクティブな状態へと移行させるにも、当該分野で既知のように、実際に移動装置のページングを行う付加的な時間を含め、同じだけの時間又はもっと長い時間が必要になる。これらの時間には、無線による送信時間、又はディスパッチ制御装置が必要とする呼処理時間が含まれていない。この結果、プッシュトゥトーク機能の為に発信移動ユニットが待たされる合計遅延時間が８秒以上になる恐れがある。
【０００４】
呼設定時間が長いせいで、即時通信の方法としてのプッシュトゥトークサービスの利点が損なわれる。実際のところ、呼設定時間が８秒以上では、このサービスは市場で発展しないと考えられる。例えば、ユーザはＰＴＴボタンを押すより単純にセルラー電話を使うことを好むと考えられる。
【０００５】
同様な問題がプッシュトゥトークモードのグループ呼出にもある。発信移動ユニットに接続される着信移動ユニットが多数あるので、呼設定時間がいっそう長くなる恐れがある。着信の又は目標の移動ユニットの各々の処理時間には重なり合うところもあるが、合計の呼設定時間は単一の移動ユニットから単一の移動ユニットへの通話より更に長くなる。従って、グループ呼出はパケットデータネットワークのプッシュトゥトーク機能について更に大きな問題を提起する。
【０００６】
既に述べたように、移動ユニットのページングには重大な遅延が伴う。無線アクセスネットワーク（ＲＡＮ）はまず、ページ／ページの応答のやりとりによって移動局（ＭＳ）の位置を突き止める必要があり、これには典型的に４００ｍｓ以上かかる。更に、無線基地局（ＢＴＳ）が移動体にページングをしようとする場合、ＢＴＳは、スロット付きモードで動作しているＭＳにメッセージを送信するのに適切なページングチャネル（ＰＣＨ）スロットを待たなければならない。このことは、「スロットサイクル遅延」として知られており、スロットサイクルインデックス（ＳＣＩ）値が２の場合には最大５．１２秒である。加えて、ＰＣＨのロードが大きい期間にはページメッセージが削除されかねない。典
型的に、回復機構は、非常に長いタイムアウトの後でメッセージのソースを再送する為のものである。なおまた、これらのページング関連の遅延が、ＰＴＴに加え、ショートメッセージサービス（ＳＭＳ）などの他のインスタントメッセージングサービスに影響を及ぼすことがある。
【特許文献１】“ＭＥＴＨＯＤ  ＡＮＤ  ＡＰＰＡＲＡＴＵＳ  ＦＯＲ  ＲＥＤＵＣＩＮＧ  ＰＡＧＩＮＧ‐ＲＥＬＡＴＥＤ  ＤＥＬＡＹＳ  ＦＯＲ  ＡＮＴＩＣＩＰＡＴＥＤ  ＴＡＲＧＥＴ  ＭＯＢＩＬＥ  ＳＴＡＴＩＯＮＳ”本願と同日付けで提出
【特許文献２】“Ａ  ＭＥＴＨＯＤ  ＦＯＲ  ＳＩＧＮＡＬＩＮＧ  ＢＡＳＥＤ  ＯＮ  ＰＡＧＩＮＧ  ＣＨＡＮＮＥＬ  ＬＯＡＤＩＮＧ”本願と同日付けで提出
【特許文献３】米国特許出願１０／３４９７２８号“Ａ  ＤＩＳＰＡＴＣＨ  ＣＡＬＬ  ＳＥＴＵＰ  ＭＥＴＨＯＤ”２００３年１月２２日提出
【特許文献４】米国特許出願０９／９２８１２９号“ＭＥＴＨＯＤ  ＡＮＤ  ＡＰＰＡＲＡＴＵＳ  ＴＯ  ＳＨＯＲＴＥＮ  ＣＡＬＬＳＥＴＵＰ  ＴＩＭＥ”２００１年８月１０日提出
【特許文献５】米国特許出願１０／４１３２３１号“ＭＥＴＨＯＤ  ＡＮＤ  ＡＰＰＡＲＡＴＵＳ  ＦＯＲ  ＥＦＦＩＣＩＥＮＴ  ＣＨＡＮＮＥＬ  ＡＳＳＩＧＮＭＥＮＴ”２００３年４月１４日提出
【特許文献６】米国特許出願１０／３２３４２８号“ＣＡＬＬ  ＳＥＴＵＰ  ＦＯＲ  Ａ  ＭＯＢＩＬＥ  ＰＡＣＫＥＴ  ＤＡＴＡ  ＤＩＳＰＡＴＣＨ  ＮＥＴＷＯＲＫ”２００２年１２月１８日提出
【特許文献７】米国特許出願１０／３０３２５５号“Ａ  ＭＥＴＨＯＤ  ＦＯＲ  ＥＸＰＥＤＩＴＩＮＧ  ＴＲＡＮＳＩＴＩＯＮＳ  ＢＥＴＷＥＥＮ  ＳＴＡＴＥＳ  ＯＦ  ＯＰＥＲＡＴＩＯＮ  ＩＮ  ＣＯＭＭＵＮＩＣＡＴＩＯＮＳ  ＥＱＵＩＰＭＥＮＴ”２００２年１１月２５日提出
【特許文献８】米国特許出願６０／４３１８８０号“ＡＰＰＡＲＡＴＵＳ  ＡＮＤ  ＭＥＴＨＯＤ  ＦＯＲ  ＰＥＲＦＯＲＭＩＮＧ  ＲＡＤＩＯ  ＥＮＶＩＲＯＮＭＥＮＴ  ＲＥＰＯＲＴＩＮＧ  ＯＮ  Ａ  ＲＥＶＥＲＳＥ  ＣＯＭＭＯＮ  ＳＩＧＮＡＬＩＮＧ  ＣＨＡＮＮＥＬ”２００２年１２月９日提出
【特許文献９】米国特許出願６０／４４８３４３号“ＡＰＰＡＲＡＴＵＳ  ＡＮＤ  ＭＥＴＨＯＤ  ＦＯＲ  ＩＭＰＬＥＭＥＮＴＩＮＧ  Ａ  ＲＥＤＵＣＥＤ  ＳＬＯＴＴＥＤ  ＭＯＤＥ  ＩＮ  Ａ  ＣＯＭＭＵＮＩＣＡＴＩＯＮ  ＳＹＳＴＥＭ”２００３年２月１８日提出(関連出願（単数又は複数）の参照（単数又は複数）)  本出願は、本出願の譲受人に譲受された同時係属中の出願（特許文献１）に関する。  本出願は、本出願の譲受人に譲受された同時係属中の出願（特許文献２）に関する。  本出願は、本出願の譲受人に譲受された同時係属中の出願（特許文献３）に関する。  本出願は、本出願の譲受人に譲受された同時係属中の出願（特許文献４）に関する。  本出願は、本出願の譲受人に譲受された同時係属中の出願（特許文献５）に関する。  本出願は、本出願の譲受人に譲受された同時係属中の出願（特許文献６）に関する。  本出願は、本出願の譲受人に譲受された同時係属中の出願（特許文献７）に関する。
【発明の開示】
【発明が解決しようとする課題】
【０００７】
従って、無線システムのページング関連の遅延を実質的に減少させる方法及び装置があれば非常に望ましい。
【課題を解決するための手段】
【０００８】
全般に、ページング関連の遅延の低減は、アイドル状態のＭＳに、ＭＳに知らされたトリガに基づき、半休止状態、スロット無しモード、及び／又は、ＲＳＣＩモードへの移行を始めさせることでなされる。このやり方は、半休止状態、スロット無しモード、ＲＳＣＩモードを用いるには効率的なやり方である（ＲＦ及びバッテリ寿命の損失を考慮すると
いう観点では）。ＭＳがページングチャネル（ＰＣＨ）メッセージを予期できる場合（例えば、ＳＭＳ又は存在更新情報を送信又は受信した後）、ＭＳはＭＳのスロットサイクルインデックスを短時間に亘り低減できるインテリジェントな状態であり、バッテリの消耗が小さく、このときＲＳＣＩは改善されたサービスを提供する可能性が最も高い。これにより、ページング待ち時間が約４秒短縮され（ＳＣＩ２がＳＣＩ０になる）、更に、メッセージをＭＳに送り出す機会が増えるので、ＰＣＨメッセージが削除される確率が低くなる。
【０００９】
全般に、ＭＳの移動度が低い（即ちアイドルハンドオフ率が低い）場合、ＭＳは多くの無線環境報告を送信しなくてよいので、ＭＳの半休止モードへの移行の際の損失がかなり抑えられる。ＭＳの移動度が低く、かつＭＳがページングチャネルメッセージを予期できる場合に、ＭＳが半休止状態に移行できる、又は代案として、移動度が低いことに基づき、ＭＳが半休止モードに移行できる。このやり方で動作することにより、ページング待ち時間を４００ｍｓ以上短縮できる。更に、ページングが少なくなるので、ＰＣＨメッセージが削除される確率が低減される。
【００１０】
本発明は、ページング関連の遅延を低減させる方法を含み、本方法では、ＭＳが、低移動度状況及びアクティブユーザメッセージ通信状況から成るグループの少なくとも１つの状況にＭＳがあることを判断する。次にＭＳは、ＭＳが少なくとも１つの状況にあることによりＭＳがトリガされた際に、ＭＳについてのページング関連の遅延が低減される少なくとも１つの動作モードへと移行する。
【００１１】
本発明は更に、ＭＳ装置も含み、本装置が、送信器と、受信器と、送信器と受信器とに結合されたプロセッサとを包含する。プロセッサが、低移動度状況及びアクティブユーザメッセージ通信状況から成るグループの少なくとも１つの状況にＭＳがあることを判断するよう改造されている。プロセッサが更に、ＭＳが少なくとも１つの状況にあることによりＭＳがトリガされた際に、ＭＳについてのページング関連の遅延が低減される少なくとも１つの動作モードへとＭＳを移行させるよう改造されている。
【発明を実施するための最良の形態】
【００１２】
開示された実施形態が図１〜図５を参照することでよりよく理解される。図１は本発明の第１の実施形態に係る通信システム１００を図示している。通信システム１００は周知の符号分割多重接続（ＣＤＭＡ）システムであり、具体的には、本発明を実施するにあたり適当に修正された米国電気通信工業会／米国電子工業会（ＴＩＡ／ＥＩＡ）の規格ＩＳ‐２０００に基づいたＣＤＭＡ２０００システムである。（ＴＩＡ／ＥＩＡの連絡先は、ペンシルバニア通り２００１、ＮＷ、ワシントンＤ．Ｃ．２０００６）本発明の代替の実施形態が、ＷＣＤＭＡ、ＨＲＰＤ、「ｉＤＥＮ」、「ＷｉＤＥＮ」、ＧＳＭ、ＧＰＲＳ、ＵＭＴＳ、ＥＤＧＥなどの、他の技術を用いた通信システムで実施されてもよい。
【００１３】
図１と図２の両方を参照すると、本発明の第１の実施形態には、無線アクセスネットワーク（ＲＡＮ）２０１及び移動局（ＭＳ）１２０〜１２２がある。移動電話として図示されたが、本発明におけるＭＳは移動電話に制限されていない。例えば、ＭＳが、無線アクセスネットワークに無線で接続された装置、例えば、コンピュータ、携帯情報端末（ＰＤＡ）、ゲーム機などの、あらゆる種類を含んでもよい。
【００１４】
図１及び図２がシステム１００の動作に必要なネットワーク設備の全てを図示しておらず、本発明の実施形態の記述に特に関連したシステム構成要素及び論理要素のみを図示している。例えば、ＲＡＮ２０１は、各無線の通達範囲、即ち、セルサイト設備１０１〜１０８を支持する固定されたネットワーク設備などの周知の構成要素を含む。無線の通達範囲がセル又はセルのセクタのことを指すので、この特定の実装に依存して、用語「セル」
（又は「セルサイト」）が、多数のセクタがあるセルにおける個々のセクタのことを指す場合がある。
【００１５】
ＲＡＮ２０１は更に、制御装置１１０を含む。当業者は、これらのＲＡＮ要素の各々を実施可能な、及び／又は、「ＭＯＴＯＲＯＬＡ」などの無線通信会社から購入可能な多くの方法に通じている。制御装置が、例えば、典型的に、プロセッサ、メモリ、及び／又は、計算機命令及び／又は回路で表されたアルゴリズムを実施するよう設計された論理回路などの構成要素を含む。アルゴリズム又は論理フローであれば、当業者は、この論理を実行する制御装置の実施に使用可能な多くの設計及び開発技術に通じている。
【００１６】
典型的に、ＲＡＮのセルサイト設備は、ＲＡＮの無線基地局（ｂａｓｅ  ｔｒａｎｓｃｅｉｖｅｒ  ｓｔａｔｉｏｎ、ＢＴＳ）などの構成要素を包含しており、ＢＴＳは、基地サイト制御装置、移動通信交換局（ｍｏｂｉｌｅ  ｓｗｉｔｃｈｉｎｇ  ｃｅｎｔｅｒ）／仮想ロケーションレジスタ（ｖｉｒｔｕａｌ  ｌｏｃａｔｉｏｎ  ｒｅｇｉｓｔｅｒ）（ＭＳＣ／ＶＬＲ）、ホームロケーションレジスタ（ＨＬＲ）などの他のＲＡＮの装置のインターフェイスとなる。本発明の第１の実施形態では、本発明のＲＡＮの態様を実施する為に、既知のＣＤＭＡ２０００ＲＡＮを既知の電気通信の設計及び開発技術により改造した。それがＲＡＮ２０１である。当業者は、本発明のＲＡＮの態様が、ＲＡＮ２０１の種々の物理的な構成要素で、且つ、それらの構成要素に対し、実施されてよいことを認識する。
【００１７】
ＲＡＮ２０１はＣＤＭＡ２０００のエアインタフェースのリソース１３０〜１３２を介してＭＳ１２０〜１２２と通信する。リソース１３０〜１３２の各々には多様な周知のチャネルのタイプがあり、例えば、アクセスチャネル、ページングチャネル、トラフィックチャネルなどである。これらのチャネルの中には、トラフィックチャネルなどの、要求に応じて周知の技術及び規格に従ってユーザにサービスを提供する為に動的な割り当て及び割り当て解除がなされるチャネルがある。
【００１８】
ＭＳ１２０は、プロセッサ２２２（例えば、メモリと処理装置）と、受信器２２０と、送信器２２１とを含む。ＣＤＭＡのＭＳで用いられる、送信器、受信器、プロセッサは全て当該分野で周知である。ＭＳの構成要素のこの一般的なセットが、本発明の無線のユニットの態様を実施する為の既知の電気通信の設計及び開発の技術により改造されている。よってＭＳ１２０は修正され、図３〜図５に記載された方法を実行する。
【００１９】
本発明の第１の実施形態に係る通信システム１００の操作は実質的には以下のように行われる。ＭＳ１２０のプロセッサ２２２が、低移動度状況又はアクティブユーザメッセージ通信状況のどちらかの状況にあるかどうかを判断することにより、ＭＳ１２０自身の状況をモニタする。これらの状況のどちらかの状況にあることにより、ＭＳ１２０がトリガされて、ＭＳ１２０のページング関連の遅延を低減する１つ以上の動作モードへと移行する。これらの動作モードのうち３つが、半休止モード、スロット無しモード、低減スロットサイクルインデックス（ＲＳＣＩ）モードである。半休止モードでは、ＭＳが位置情報の周期的な更新を実行する。より具体的には、ＲＡＮがＭＳの位置の経過を追跡してパイロットを強化できるよう、ＭＳがそのアクセスチャネルで無線環境報告を送信する。よって、半休止モードによって、ページ／ページの応答のサイクルの遅延を伴うことなくページングチャネルメッセージを移動体に送信することが可能になる。ＲＳＣＩモードでは、ＭＳのスロットサイクルインデックスが低減される（例えば、ＳＣＩが２から０になる）。よって、ＭＳはそのページングチャネルをより頻繁に調べるので、ＭＳのＰＣＨの待ち時間の遅延が低減する。
【００２０】
ＭＳのアイドルハンドオフ率がアイドルハンドオフ率のしきい値以下、例えば３分につ
きハンドオフが１回未満のときには、ＭＳ１２０が低移動度状況にある。第１の実施形態では、アイドルハンドオフ率のしきい値がＲＡＮ２０１から受信器２２０を介して受信される。代案としてこのしきい値を予め定義することにより相対的に一定のままにしておいてもよいが、しきい値を動的にすることで効率を更に高めることができる。具体的には、ＭＳ１２０のサービス提供セル、即ちセルサイト設備１０１でアクセスチャネルのロードが増加するに伴い、半休止の移動体によりもたらされた付加的なアクセスチャネルのトラフィックを低減させる為に、アイドルハンドオフ率のしきい値を大きくする。同様に、アクセスチャネルロードが減少するときには、より多くの移動体を半休止状態にできるようアイドルハンドオフ率のしきい値を小さくする。アイドルハンドオフ率のしきい値の更新情報を、プロセッサ２２２が受信器２２０を介して、ＲＡＮ２０１からエアインタフェースのリソース１３０のページングチャネル／同報通信チャネルで信号メッセージにより受信する。代わりに、ＭＳ１２０がトラフィックチャネルで偶然アクティブになった場合、アイドルハンドオフ率のしきい値の更新情報をエアインタフェースのリソース１３０のトラフィックチャネルで信号メッセージにより受信してもよい。
【００２１】
ＭＳ１２０のアイドルハンドオフが頻繁であっても同じセルとセルとの間で行われている場合には、相対的にＭＳ１２０のアイドルハンドオフ率は高いものの、ＭＳ１２０は実質的には静止している。それ故に、所定の数のパイロットにより指定されたゾーンの外でのアイドルハンドオフをＭＳがある一定の期間に亘り行わなかったときにもＭＳ１２０が低移動度状況にある。例えば、ＭＳ１２０がここ６０秒の間に4つ以上のパイロットをモ
ニタしていない場合、ＭＳ１２０が低移動度状況にあると考えられる。
【００２２】
低移動度状況と対照的に、ＭＳ１２０が最近（過去７０秒の間又は２回のＲＦ更新の間に、など）ユーザメッセージ通信の送信又は受信に関与したときには、ＭＳ１２０がアクティブユーザメッセージ通信状況にある。ユーザメッセージ通信の例には、データバーストメッセージ通信（ショートメッセージサービス（ＳＭＳ）メッセージ通信及びショートデータバースト（ＳＤＢ）メッセージ通信など）、ボイスメール通知メッセージ通信、Ｅメール通知メッセージ通信、及び同報通信プログラミング要求メッセージ通信がある。同報通信プログラミング要求メッセージ通信が包含されるのは、目標の移動体の位置がわからないときに、このようなプログラミングが多数のセルからの同報通信に必要な場合があるからである。よって、ＲＡＮが移動体の位置を知っている状態をこの同報通信の間じゅう保つよう半休止モードで動作することが、これらの移動体にとって有利な場合がある。これにより、移動体の区域のセルの限られたセットにのみＲＡＮがプログラミングを送信することができるようになり、移動体の移動に伴いセルのセットを変更することもできるようになる。
【００２３】
ＭＳ１２０が、ＭＳ１２０のメッセージ通信仲間などの関連付けられた通信装置のグループに新たに応じられるようになったときも、ＭＳ１２０はアクティブユーザメッセージ通信状況にある。例えば、ＭＳ１２１及び１２２がこれらのメッセージ通信仲間の１つとしてＭＳ１２０を指定すると、ＭＳ１２０が新たに応じられるようになった後の期間は、ＭＳ１２０〜１２２の間でメッセージのやりとりをする可能性の高い期間である。ＭＳ１２０が応じられることを告げる為に、通話を始動又は完了した後などに、プロセッサ２２２が送信器２２１を介して存在更新情報をＲＡＮ２０１に送り、これにより、その存在の状態が変化したことが知らされる。代替の実施形態では、通信装置のメッセージ通信仲間の１つとして移動体を指定する通信装置にしきい値数があるとき、又は、移動体が新たに応じられる一方でこれら応じられる通信装置にしきい値数（又はしきい値パーセンテージ）があるときには、移動体がアクティブユーザメッセージ通信状況のみにある。
【００２４】
ＭＳ１２０に関連付けられたメッセージ通信の最近の開封通知をＭＳ１２０が受信器２２０を介して受信した後も、ＭＳ１２０はアクティブユーザメッセージ通信状況にある。
このような開封通知は、ＭＳ１２０に関連付けられたメッセージ通信に別のユーザがアクセスしたという標識である。例えば、別のユーザが、Ｅメール（ＳＭＳ等）に気が付く（例えば、通知が表示された部分の電話メニューに初めて入力する）、選択する、読む、又は、ＭＳ１２０により発信された又はＭＳ１２０に向けコピーされたボイスメールを聞いたとき、開封通知が受信される。ＭＳ１２０に関連付けられたメッセージ通信には、データバーストメッセージ通信（ＤＢＭ）（ＳＤＢメッセージ通信及びＳＭＳメッセージ通信など）、ボイスメールメッセージ通信、Ｅメールメッセージ通信、存在メッセージ通信、及びＣａｌｌｅｒ  ＩＤ（発信者電話番号）メッセージ通信などの例があるが、これらに制限されてはいない。
【００２５】
ＭＳ１２０がアクティブユーザメッセージ通信状況にあることが判断された後で、プロセッサ２２２がＭＳ１２０をＲＳＣＩモードに移行させる。同様に、ＭＳ１２０が低移動度状況にあることが判断された後で、プロセッサ２２２がＭＳ１２０を半休止モードに移行させる。しかし、より限定的な代替の実施形態では、低移動度状況とアクティブユーザメッセージ通信状況の両方の状況にあるときにのみ移動体が半休止モードに移行する。そして明らかなように、ＭＳ１２０が同時に半休止とＲＳＣＩの両方のモードの場合がある。
【００２６】
これらのモードの各々はＭＳ１２０のページング関連の遅延を低減させるが、各モードが典型的なアイドル操作よりも早いペースでＭＳ１２０のバッテリを消耗する。よって、ＭＳ１２０のバッテリの残り寿命が、そのバッテリ寿命の２５％又は２０時間の待機時間などの省電力しきい値を下回ったとき、プロセッサ２２２が両方のモードを終了してもよい。加えて、ＭＳ１２０のバッテリの寿命が十分残っているときには、プロセッサ２２２が遅延低減モードに移行するだけでよい。
【００２７】
遅延低減モードはサービス提供セルの容量にも影響を及ぼすので、ＭＳ１２０のサービス提供セルがセルに未使用の容量が十分あることを知らせるときには、プロセッサ２２２はある一定のモード（半休止モードなど）に移行するだけでよい。例えば、サービス提供セルがオーバーヘッドメッセージ又はＳＭＳメッセージを用いてセルの現在の未使用の容量のレベルの知らせを同報通信してもよい。
【００２８】
遅延低減モードに移行する為に、プロセッサ２２２が送信器２２１を介して、動作モードの変化の承認をＲＡＮ２０１に要求する。移行を続行するには、プロセッサ２２２が受信器２２０を介して、動作モードの変化をＲＡＮ２０１が承認したという知らせを受信する必要がある。これによって、例えば、応じられるシステム容量が十分でないときに、移動体によるモード変化をＲＡＮ２０１が防止する別の機会又は選択肢が与えられる。
【００２９】
これによって、ＲＡＮ２０１が移動体の動作モードの局面をある程度制御し続けることも可能になる。例えば、ＭＳ１２０が、特定の期間に亘り又は報告の最大数のときに半休止モードへの移行を要求してもよい。ＭＳ１２０が承認を受信するときに、ＲＡＮ２０１が、承認の完了を知らせてもよいし、要求があった期間又は報告回数を調整してもよいし、要求がなかった期間又は報告回数を規定してもよい。同じように、ＭＳ１２０が、特定の期間に亘りＲＳＣＩモードへの移行を要求してもよい。ＭＳ１２０が受信した承認が、承認の完了を知らせたり、調整された期間を知らせたり、要求がなかった規定の期間を知らせたりする。
【００３０】
図３は、本発明の第１の実施形態に係るＭＳにより実行される機能の論理フロー図である。論理フロー３００が開始する（３０２）のは、ＭＳが低移動度状況又はアクティブユーザメッセージ通信状況のどちらかの状況にあることをＭＳが判断するときである（３０４）。図４は、この判断に関与した論理フローを更に詳しく図示している。十分なバッテ
リ寿命が残っている限り、ＭＳは新しい動作モードを選択する（３０６）。図５は、この選択に関与した論理フローを更に詳しく図示している。
【００３１】
次にＭＳは動作モードの変化の承認をＲＡＮに要求し（３０８）、承認を受信した（３１０）後で、新しいモードの操作を開始する。しかし、ＭＳのバッテリ寿命が省電力しきい値を下回る場合（３１４）、ＭＳはそのバッテリ寿命を温存するために動作モードを終了し（３１６）、論理フロー３００は終わる（３１８）。
【００３２】
図４は、本発明の第１の実施形態に従ってＭＳにより実行される判断機能（３０４）の論理フロー図である。論理フロー３０４には、ＭＳが低移動度状況又はアクティブユーザメッセージ通信状況のどちらかの状況（または両方の状況）にあるのかをＭＳが判断する際に、２つの並行する分岐がある。
【００３３】
低移動度のパスでは、ＭＳがＲＡＮからアイドルハンドオフ率のしきい値を受信し（４０２）、このしきい値とＭＳのアイドルハンドオフ率を比較する（４０４）。ＭＳのアイドルハンドオフ率がしきい値以下の場合、ＭＳは低移動度状況にある（４０８）。しきい値以下ではないがＭＳがセルの特定の区域の外側でアイドルハンドオフを最近実行していない場合（４０６）も、ＭＳは低移動度状況にある（４０８）。その他の場合は、ＭＳはまだ低移動度状況にない。
【００３４】
アクティブユーザメッセージ通信のパスでは、アクティブユーザメッセージ通信状況にあると判断される（４１６）のは、３つのトリガのいずれかが起きるときである。第１のトリガは、ＭＳがユーザメッセージ通信の送信又は受信に最近関与していたとき（４１０）である。第２のトリガは、仲間としてＭＳを指定する装置にＭＳが新たに応じられるようになりＭＳが存在更新情報を送ったとき（４１２）である。第３のトリガは、ＭＳが開封通知を受信したと  き（４１４）である。
【００３５】
図５は、本発明の第１の実施形態に従ってＭＳにより実行される選択機能（３０６）の論理フロー図である。論理フロー３０６では、ＲＡＮにより同報通信された、サービス提供セルの容量の標識をＭＳが受信する（５０２）。ＭＳが低移動度状況にあり半休止モードに使用可能な未使用の容量が十分な場合（５０４）、半休止モードが選択される（５０６）。アクティブユーザメッセージ通信状況にある場合（５０８）、ＲＳＣＩが選択される（５１０）。
【００３６】
前述の明細書では、本発明が特殊な実施形態について記載された。しかし、本発明の精神及び範囲から逸脱することなく添付の請求項に述べられているように、種々の修正及び変更が可能である。従って、本明細書及び本図面は、限定的な意味ではなく説明的な意味において考えられるべきであり、あらゆるこのような修正は本発明の範囲内に包含されるよう意図されている。加えて、本図面の要素が簡単明瞭にする為に図示されており、必ずしも一律の縮尺に従ってはいない。例えば、本発明の種々の実施形態の理解の改善の助けとなるよう、他の要素に対し本図面中で寸法を誇張した要素がある。
【００３７】
本発明の特殊な実施形態について、利益と、他の利点と、問題の解決とが、以上に記載された。しかし、利益と、利点と、問題の解決と、そのような利益、利点、解決策をもたらす又はもたらす結果になる、又はそのような利益、利点、解決策をより顕著にするあらゆる要素（単数又は複数）とは、任意の又は全ての請求項にとって、決定的な、必要な、本質的な特質又は要素と解釈されてはならない。
【００３８】
本明細書及び添付の請求項で用いられるように、用語「含む（ｃｏｍｐｒｉｓｅｓ）」、「含んでいる（ｃｏｍｐｒｉｓｉｎｇ）」又はこの用語のその他の変形は非排他的包含
を指すよう意図されており、要素のリストを含むプロセス、方法、製品、装置が、そのリストの要素のみを包含せず、はっきりとはリストアップされていない、又はそのようなプロセス、方法、製品、装置に固有の他の要素を包含するようになっている。単数を表す表現（“ａ”又は“ａｎ”）は、本明細書で用いられているように、１つ又は２つ以上と定義されている。用語「複数（ｐｌｕｒａｌｉｔｙ）」は、本明細書で用いられているように、２つ以上と定義されている。用語「別の（ａｎｏｔｈｅｒ）」は、本明細書で用いられているように、少なくとも２番目以上と定義されている。用語「包含している（ｉｎｃｌｕｄｉｎｇ）」及び／又は「有している（ｈａｖｉｎｇ）」、本明細書で用いられているように、「含んでいる（ｃｏｍｐｒｉｓｉｎｇ）」（即ち、オープンランゲージ（ｏｐｅｎ  ｌａｎｇｕａｇｅ））と定義されている。
【図面の簡単な説明】
【００３９】
【図１】本発明の第１の実施形態に係る通信システムの図。
【図２】通信システム及び本発明の第１の実施形態に係る移動局（ＭＳ）のブロック図。
【図３】本発明の第１の実施形態に係るＭＳにより実行される機能の論理フロー図。
【図４】本発明の第１の実施形態に係るＭＳにより実行される判断機能の論理フロー図。
【図５】本発明の第１の実施形態に係るＭＳにより実行される選択機能の論理フロー図。
【図１】
2007527641.tif 000003
【図２】
2007527641.tif 000004
【図３】
2007527641.tif 000005
【図４】
2007527641.tif 000006
【図５】
2007527641.tif 000007
【国際調査報告】
2007527641.tif 000008